(57)【特許請求の範囲】
【請求項１】
代謝量を計測する代謝量計測装置とともに用いられ、冷暖房機器を制御する機器制御装置であって、
温冷感と前記冷暖房機器の制御内容とを対応付けて記憶する制御内容記憶部と、
前記代謝量計測装置で計測された前記代謝量が入力される入力部と、
前記入力部に入力された前記代謝量を用いて前記温冷感を演算する演算部と、
前記演算部で演算された前記温冷感に対応付けられて前記制御内容記憶部に記憶されている前記制御内容に従って前記冷暖房機器を制御する機器制御部と、
前記入力部にこれまでに入力された前記代謝量の履歴を蓄積する代謝量記憶部とを備え、
前記演算部は、
前記入力部に入力された前記代謝量を用いて前記温冷感を算出する算出部と、
前記入力部に入力された前記代謝量が変化した場合に、前記代謝量記憶部に記憶されている変化前の前記代謝量の履歴を用い、当該変化前の前記代謝量と前記入力部に入力された前記代謝量とに基づいて、前記算出部で算出された前記温冷感を補正する補正部とを含む
ことを特徴とする機器制御装置。
【請求項２】
前記冷暖房機器によって温熱環境が変動する屋内空間に人が存在するか否かを示す検出情報を取得する検出情報取得部と、
前記検出情報取得部で取得された前記検出情報を用いて、前記屋内空間の人の存在が検出されてからの経過時間を計時する計時部とを備え、
前記補正部は、前記入力部に入力された前記代謝量が変化した場合に、前記代謝量記憶部に記憶されている変化前の前記代謝量の履歴と、前記計時部で計時された前記経過時間とを用いて、前記算出部で算出された前記温冷感を補正する
ことを特徴とする請求項１記載の機器制御装置。
【請求項３】
屋外の気象条件を取得する気象条件取得部を備え、
前記補正部は、前記入力部に入力された前記代謝量が変化した場合に、前記代謝量記憶部に記憶されている変化前の前記代謝量の履歴と、前記計時部で計時された前記経過時間と、前記気象条件取得部で取得された前記気象条件とを用いて、前記算出部で算出された前記温冷感を補正する
ことを特徴とする請求項２記載の機器制御装置。
【請求項４】
請求項１〜３のいずれか１項に記載の機器制御装置と、
代謝量を計測する代謝量計測装置と
を備えることを特徴とする機器制御システム。
【請求項５】
コンピュータを、
温冷感と冷暖房機器の制御内容とを対応付けて記憶する制御内容記憶部、
代謝量計測装置で計測された代謝量が入力される入力部、
前記入力部に入力された前記代謝量を用いて前記温冷感を算出する算出部、
前記入力部にこれまでに入力された前記代謝量の履歴を蓄積する代謝量記憶部、
前記入力部に入力された前記代謝量が変化した場合に、前記代謝量記憶部に記憶されている変化前の前記代謝量の履歴を用い、当該変化前の前記代謝量と前記入力部に入力された前記代謝量とに基づいて、前記算出部で算出された前記温冷感を補正する補正部、および、
前記補正部で補正された前記温冷感に対応付けられて前記制御内容記憶部に記憶されている前記制御内容に従って前記冷暖房機器を制御する機器制御部
として機能させるためのプログラム。
【発明の詳細な説明】
【技術分野】
【０００１】
本発明は、冷暖房機器を制御する機器制御装置、機器制御システムおよびプログラムに関する。
【背景技術】
【０００２】
従来、空調機器のユーザは、所定の屋内空間の温熱環境が快適でない場合に、リモコンを操作することによって、空調機器の設定温度を変更している。この場合、ユーザの意思を直接、空調機器の制御に反映させることができる。
【０００３】
ところが、ユーザによっては、屋内空間の温熱環境が快適でないにもかかわらず、リモコン操作が面倒であるという理由で、リモコン操作を行わないことがあった。
【０００４】
そこで、空調機器を制御する際にリモコン操作を不要とする手段として、特許文献１には、６要素（気温・平均放射温度・風速・相対湿度・着衣量・代謝量）からユーザの温冷感を推測し、空調機器を制御するシステムが開示されている。
【先行技術文献】
【特許文献】
【０００５】
【特許文献１】特開２０１０−２４９４５４号公報
【発明の概要】
【発明が解決しようとする課題】
【０００６】
しかしながら、特許文献１に記載された従来のシステムは、ユーザの温冷感を推測する際に、代謝量を一定値としているため、実際の温冷感と推測値との値に大きな差が生じていた。
【０００７】
本発明は上記の点に鑑みて為された発明であり、本発明の目的は、ユーザによるリモコン操作を不要としながら、ユーザの温冷感を冷暖房機器の制御に反映させることができる機器制御装置、機器制御システムおよびプログラムを提供することにある。
【課題を解決するための手段】
【０００８】
本発明の機器制御装置は、代謝量を計測する代謝量計測装置とともに用いられ、冷暖房機器を制御する機器制御装置であって、温冷感と前記冷暖房機器の制御内容とを対応付けて記憶する制御内容記憶部と、前記代謝量計測装置で計測された前記代謝量が入力される入力部と、前記入力部に入力された前記代謝量を用いて前記温冷感を演算する演算部と、前記演算部で演算された前記温冷感に対応付けられて前記制御内容記憶部に記憶されている前記制御内容に従って前記冷暖房機器を制御する機器制御部と、前記入力部にこれまでに入力された前記代謝量の履歴を蓄積する代謝量記憶部とを備え、前記演算部は、前記入力部に入力された前記代謝量を用いて前記温冷感を算出する算出部と、前記入力部に入力された前記代謝量が変化した場合に、前記代謝量記憶部に記憶されている変化前の前記代謝量の履歴を用い、当該変化前の前記代謝量と前記入力部に入力された前記代謝量とに基づいて、前記算出部で算出された前記温冷感を補正する補正部とを含むことを特徴とする。
【０００９】
この機器制御装置において、前記冷暖房機器によって温熱環境が変動する屋内空間に人が存在するか否かを示す検出情報を取得する検出情報取得部と、前記検出情報取得部で取得された前記検出情報を用いて、前記屋内空間の人の存在が検出されてからの経過時間を計時する計時部とを備え、前記補正部は、前記入力部に入力された前記代謝量が変化した場合に、前記代謝量記憶部に記憶されている変化前の前記代謝量の履歴と、前記計時部で計時された前記経過時間とを用いて、前記算出部で算出された前記温冷感を補正することが好ましい。
【００１０】
この機器制御装置において、屋外の気象条件を取得する気象条件取得部を備え、前記補正部は、前記入力部に入力された前記代謝量が変化した場合に、前記代謝量記憶部に記憶されている変化前の前記代謝量の履歴と、前記計時部で計時された前記経過時間と、前記気象条件取得部で取得された前記気象条件とを用いて、前記算出部で算出された前記温冷感を補正することが好ましい。
【００１１】
本発明の機器制御システムは、前記機器制御装置と、代謝量を計測する代謝量計測装置とを備えることを特徴とする。
【００１２】
本発明のプログラムは、コンピュータを、温冷感と冷暖房機器の制御内容とを対応付けて記憶する制御内容記憶部、代謝量計測装置で計測された代謝量が入力される入力部、前記入力部に入力された前記代謝量を用いて前記温冷感を算出する算出部、前記入力部にこれまでに入力された前記代謝量の履歴を蓄積する代謝量記憶部、前記入力部に入力された前記代謝量が変化した場合に、前記代謝量記憶部に記憶されている変化前の前記代謝量の履歴を用い、当該変化前の前記代謝量と前記入力部に入力された前記代謝量とに基づいて、前記算出部で算出された前記温冷感を補正する補正部、および、前記補正部で補正された前記温冷感に対応付けられて前記制御内容記憶部に記憶されている前記制御内容に従って前記冷暖房機器を制御する機器制御部として機能させるためのプログラムである。
【発明の効果】
【００１３】
本発明の機器制御装置、機器制御システムおよびプログラムによれば、冷暖房機器のユーザの実際の代謝量を用いてユーザの温冷感を予測することによって、リモコン操作を不要としながら、ユーザの温冷感を冷暖房機器の制御に反映させることができる。
【００１４】
また、本発明の機器制御装置、機器制御システムおよびプログラムでは、代謝量が変化した場合に、変化前の代謝量の履歴を用いて温冷感を補正することによって、温冷感をより正確に予測することができる。
【図面の簡単な説明】
【００１５】
【図１】実施形態１に係る機器制御システムの構成図である。
【図２】（ａ）はＰＭＶの要素を示す図、（ｂ）はＰＭＶと温冷感との関係を示す図である。
【図３】実施形態１に係る機器制御システムの動作を説明するための説明図である。
【図４】実施形態１に係る機器制御システムの動作を示すフローチャートである。
【図５】実施形態２に係る機器制御システムの構成図である。
【図６】実施形態２に係る機器制御システムの動作を示すフローチャートである。
【図７】実施形態３に係る機器制御システムの構成図である。
【図８】実施形態３に係る機器制御システムの動作を説明するための説明図である。
【図９】実施形態３に係る機器制御システムの動作を示すフローチャートである。
【発明を実施するための形態】
【００１６】
（実施形態１）
実施形態１に係る機器制御システム１は、図１に示すように、代謝量を計測する代謝量計測装置２と、冷暖房機器６を制御する機器制御装置３とを備えている。
【００１７】
本実施形態の機器制御システム１は、機器制御装置３において、リアルタイムで計測された代謝量とこれまでの代謝量の履歴とを用いて冷暖房機器６のユーザ７の温冷感を求め、求めた温冷感に対応付けられた制御内容に従って冷暖房機器６を制御する。
【００１８】
温冷感を表わす指標としては、国際標準化機構（International Organization forStandardization：ＩＳＯ）の国際規格ＩＳＯ７７３０で定義されているＰＭＶ（PredictedMean Vote：予測平均温冷感申告）が用いられる。図２（ａ）に示すように、ＰＭＶは、気温・平均放射温度・風速・相対湿度・着衣量・代謝量の６要素から予測される値である。ＰＭＶを求めるための算式および演算方法は、ＩＳＯ７７３０により公知であるから、その説明は省略する。図２（ｂ）に示すように、ＰＭＶは７段階指標であり、ＰＭＶの数字が大きくなるほど、ユーザ７が暑いと感じる度合いが高くなる。一方、ＰＭＶの数字が低くなるほど、ユーザ７が寒いと感じる度合いが高くなる。ＰＭＶが「０」であるとは、ユーザ７が暑いとも寒いとも感じていないレベルである。
【００１９】
代謝量は、人の活動または作業の強度を表わす指標であり、いす座安静を基準（１．０ｍｅｔ）とする。例えば睡眠は０．７ｍｅｔであり、平坦路歩行（３．２ｋｍ／ｈ）は２．０ｍｅｔである。
【００２０】
本実施形態の冷暖房機器６は、冷房機能および暖房機能の両機能を有する機器と、冷房機能のみを有する冷房機器と、暖房機能のみを有する暖房機器との総称である。冷房機能および暖房機能の両機能を有する機器としては、例えば冷暖房用エアコンなどがある。冷房機能のみを有する冷房機器としては、例えば冷房専用エアコンなどがある。暖房機能のみを有する暖房機器としては、例えば床暖房機器やファンヒーターなどがある。冷暖房機器６は、図示しない所定の屋内空間の温熱環境を制御する。
【００２１】
図１に示す代謝量計測装置２は、機器制御装置３とは別体に設けられており、ユーザ７の代謝量を計測し、計測結果を機器制御装置３へ出力する。この代謝量計測装置２は、例えば活動量計や歩数計、多機能携帯電話などの端末装置であり、この端末装置に設けられている加速度センサの検出結果を用いて、ユーザ７の代謝量を計測する。
【００２２】
機器制御装置３は、代謝量計測装置２とともに用いられ、冷暖房機器６の動作を指示する装置である。この機器制御装置３は、ＣＰＵ（Central Processing Unit：中央処理装置）およびメモリが搭載されたコンピュータを主構成要素とし、プログラムに従って動作することによって、各機能を実行する。機器制御装置３は、制御内容記憶部３１と、入力部３２と、代謝量記憶部３３と、算出部３４と、補正部３５と、機器制御部３６とを備えている。
【００２３】
制御内容記憶部３１は、温冷感と冷暖房機器６の制御内容との対応関係を対応テーブルとして予め記憶している。
【００２４】
制御内容記憶部３１に記憶されている対応テーブルでは、温冷感を表わす指標としてＰＭＶが用いられている。この対応テーブルでは、ＰＭＶを複数の範囲に区分けし、範囲ごとに、異なる制御幅が設定されている。ＰＭＶが正の数である場合、ＰＭＶが大きくなるほど、設定温度の下げ幅が大きくなっている。例えばＰＭＶが「＋２」である場合の制御幅は「−２℃」である。一方、ＰＭＶが負の数である場合、ＰＭＶが小さくなるほど、設定温度の上げ幅が大きくなっている。例えばＰＭＶが「−１」である場合の制御幅は、「＋１℃」である。
【００２５】
入力部３２は、無線または有線によって代謝量計測装置２の計測結果を代謝量計測装置２から取得する。
【００２６】
代謝量記憶部３３は、入力部３２にこれまでに入力された計測結果に含まれていた代謝量の履歴（以下「代謝量履歴」という）を蓄積する。
【００２７】
算出部３４は、入力部３２に入力された計測結果に含まれている代謝量と、気温・平均放射温度・風速・相対湿度・着衣量とを用いてＰＭＶを算出する。なお、ＰＭＶの算式および演算方法は公知であるから、その説明は省略する。算出部３４は、気温・平均放射温度・風速・相対湿度・着衣量の５要素を他の装置（図示せず）から取得してもよいし、ユーザ７の入力によって取得してもよい。また、算出部３４は、気温・平均放射温度・風速・相対湿度・着衣量の５要素を計測する手段を備えていてもよい。
【００２８】
ところで、図３に示すように、算出部３４で求められたＰＭＶ（図３の（ｂ））は、実際の温冷感（図３の（ａ））と大きく異なる場合がある。このため、算出部３４で求められたＰＭＶをそのまま用いて冷暖房機器６を制御した場合、実際の温冷感を冷暖房機器６の制御に精度よく反映できないことがある。
【００２９】
例えば、夏期、ユーザ７が暑い屋外を歩行した後、冷房された屋内空間に入室した場合、入室直後（経過時間ｔ＝０）では、屋外歩行の影響があるため、ユーザ７の実際の温冷感（図３の（ａ））は計算値（図３の（ｂ））よりも高くなる。その後、ユーザ７が屋内で着座状態を維持する場合、経過時間ｔがｔ１、ｔ２と長くなるにつれて、温冷感は徐々に下がり、経過時間ｔ＝ｔ２において温冷感は０になる。完全に屋外歩行の影響がなくなった場合に、温冷感はＰＭＶ（計算値）と略同じになる。このように移動などの活動の過渡期においては、過去の活動を反映していない計算値は、実際の温冷感から乖離する傾向がある。
【００３０】
そこで、図１に示す補正部３５は、入力部３２に入力された代謝量が変化した場合に、代謝量記憶部３３に記憶されている変化前の代謝量履歴を用いて、算出部３４で算出されたＰＭＶを補正する。この補正部３５は、入力部３２に入力された代謝量の変化量（変化後の代謝量−変化前の代謝量）の絶対値がしきい値以上であるか否かを判定する第１の判定機能と、変化前の代謝量と変化後の代謝量との大小関係を判定する第２の判定機能とを有している。第１の判定機能で用いられるしきい値は、予め決められた値である。なお、算出部３４と補正部３５とで、入力部３２に入力された代謝量を用いて温冷感を演算する演算部３７を構成する。
【００３１】
入力部３２に入力された代謝量の変化量の絶対値がしきい値以上である場合に、補正部３５は以下のような補正を行い、補正後のＰＭＶ（修正ＰＭＶ）を機器制御部３６に出力する。変化後の代謝量が変化前の代謝量よりも小さくなった場合、補正部３５は、算出部３４で算出されたＰＭＶを大きくするように補正する。すなわち、修正ＰＭＶ＞補正前のＰＭＶとなる。変化後の代謝量が変化前の代謝量よりも大きくなった場合、補正部３５は、算出部３４で算出されたＰＭＶを小さくするように補正する。すなわち、修正ＰＭＶ＜補正前のＰＭＶとなる。一方、入力部３２に入力された代謝量の変化量の絶対値がしきい値未満である場合、補正部３５は、算出部３４で算出されたＰＭＶをそのまま機器制御部３６に出力する。
【００３２】
機器制御部３６は、補正部３５から出力された温冷感を、制御内容記憶部３１に記憶されている対応テーブルに照合し、上記温冷感に対応付けられた制御内容を上記対応テーブルから抽出する。補正部３５から機器制御部３６に出力された温冷感は、補正部３５で補正が行われた場合には修正ＰＭＶであり、補正部３５で補正が行われなかった場合には、算出部３４で算出されたＰＭＶである。
【００３３】
対応テーブルから制御内容を抽出した機器制御部３６は、対応テーブルから抽出した制御内容を、冷暖房機器６の動作を可能とする制御信号に変換し、この制御信号を冷暖房機器６に出力する。これにより、機器制御部３６は、対応テーブルから抽出した制御内容に従って冷暖房機器６を制御することができる。例えば現在の設定温度が２７℃である場合、機器制御部３６は、制御内容として制御幅「−２℃」を抽出すると、設定温度「２５℃」の制御信号を冷暖房機器６に出力する。冷暖房機器６は、機器制御部３６から制御信号を受け取ると、上記制御信号に従って設定温度を２７℃から２５℃に変更する。
【００３４】
上述のようにして機器制御装置３は、ユーザ７の温冷感に応じて冷暖房機器６の設定温度を変更させることができる。
【００３５】
次に、本実施形態に係る機器制御装置３の動作について図４を用いて説明する。まず、入力部３２が代謝量計測装置２から代謝量Ｍを取得する（Ｓ１）。今回の代謝量Ｍを含む代謝量履歴Ｍ（ｔ）を代謝量記憶部３３が記憶する（Ｓ２）。その後、算出部３４が６要素（気温Ｔ、平均放射温度ＲＴ、風速Ｆ、相対湿度Ｈ、着衣量Ｃ、代謝量Ｍ）からＰＭＶ〔＝ｆ（Ｔ，ＲＴ，Ｆ，Ｈ，Ｃ，Ｍ）〕を算出する（Ｓ３）。その後、補正部３５が代謝量履歴Ｍ（ｔ）を用いてＰＭＶを補正して修正ＰＭＶ〔＝ｆ（ＰＭＶ，Ｍ（ｔ））〕を算出する（Ｓ４）。
【００３６】
ところで、機器制御装置３は、機器制御装置３が各種の機能を実行するためのプログラムを保持している。すなわち、機器制御装置３は、機器制御装置３を制御内容記憶部３１、入力部３２、代謝量記憶部３３、算出部３４、補正部３５および機器制御部３６として機能させるためのプログラムを格納している。上記プログラムは、機器制御装置３の出荷時に予め格納されている。ただし、機器制御装置３が上記プログラムを出荷後に取得する場合、機器制御装置３が上記プログラムを取得する手法の一例としては、上記プログラムを記録したコンピュータ読み取り可能な記録媒体を用いる手法がある。記録媒体を用いる手法の場合、機器制御装置３は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、機器制御装置３が上記プログラムを取得する他の手法としては、ネットワークを用いて上記プログラムを他の装置（例えばサーバなど）からダウンロードする手法がある。上記プログラムをダウンロードする手法の場合、機器制御装置３は、ネットワークを用いて他の装置と通信するための通信機能（図示せず）を有していればよい。
【００３７】
以上説明した本実施形態の機器制御システム１は、機器制御装置３において、入力部３２が冷暖房機器６のユーザ７の代謝量をリアルタイムで取得し、この代謝量を用いて演算部３７がユーザ７の温冷感を予測する。これにより、リモコン操作を不要としながら、ユーザ７の温冷感を冷暖房機器６の制御に反映させることができる。
【００３８】
また、本実施形態の機器制御システム１は、入力部３２に入力された代謝量が変化した場合に、代謝量記憶部３３に記憶されている変化前の代謝量履歴を用いて、算出部３４で算出された温冷感を補正部３５が補正する。これにより、温冷感をより正確に予測することができる。
【００３９】
（実施形態２）
実施形態２に係る機器制御システム１は、ユーザ７の入室を検出し、入室からの経過時間を考慮して温冷感を補正する点で、実施形態１に係る機器制御システム１と相違する。なお、実施形態１の機器制御システム１と同様の構成要素については、同一の符号を付して説明を省略する。
【００４０】
本実施形態の機器制御装置３は、図５に示すように、検出情報取得部４１と、計時部４２とをさらに備えている。なお、実施形態１の機器制御装置３（図１参照）と同様の機能については説明を省略する。
【００４１】
検出情報取得部４１は、冷暖房機器６によって温熱環境が変動する屋内空間に人が存在するか否かの検出結果を含む在・不在情報を取得する。在・不在情報を取得する手段としては、屋内空間に設けられて上記屋内空間に存在する人を検出する人検出手段（例えば人感センサ・ドアノブセンサなど）や、在・不在情報の入力を受け付ける在・不在情報入力手段などがある。在・不在情報入力手段としては、外部装置（図示せず）から在・不在情報を受け取る手段や、ユーザ７の入力によって在・不在情報を取得する手段などがある。在・不在情報をユーザ７が入力する際に用いられる入力装置としては、例えばキーボードや複数の操作ボタン、タッチパネルなどがある。
【００４２】
計時部４２は、検出情報取得部４１で取得された在・不在情報を用いて、屋内空間の人の存在が検出されてからの経過時間を計時する。
【００４３】
本実施形態の補正部３５は、入力部３２に入力された代謝量が変化した場合に、代謝量記憶部３３に記憶されている変化前の代謝量履歴と、計時部４２で計時された経過時間とを用いて、算出部３４で算出されたＰＭＶを補正する。具体的には、経過時間が長くなるにつれて、補正部３５は、算出部３４で算出されたＰＭＶの補正幅を小さくしていく。なお、実施形態１の補正部３５（図１参照）と同様の機能については説明を省略する。
【００４４】
次に、本実施形態に係る機器制御装置３の動作について図６を用いて説明する。まず、入力部３２が代謝量計測装置２から代謝量Ｍを取得する（Ｓ１１）。今回の代謝量Ｍを含む代謝量履歴Ｍ（ｔ）を代謝量記憶部３３が記憶する（Ｓ１２）。一方、検出情報取得部４１が在・不在情報を取得し（Ｓ１３）、ユーザ７の入室を検出する（Ｓ１４）。入室後の経過時間ｔを計時部４２がカウントする（Ｓ１５）。その後、算出部３４が６要素（気温Ｔ、平均放射温度ＲＴ、風速Ｆ、相対湿度Ｈ、着衣量Ｃ、代謝量Ｍ）からＰＭＶ〔＝ｆ（Ｔ，ＲＴ，Ｆ，Ｈ，Ｃ，Ｍ）〕を算出する（Ｓ１６）。その後、補正部３５が代謝量履歴Ｍ（ｔ）と経過時間ｔとを用いてＰＭＶを補正して修正ＰＭＶ〔＝ｆ（ＰＭＶ，Ｍ（ｔ），ｔ）〕を算出する（Ｓ１７）。
【００４５】
以上説明した本実施形態の機器制御システム１は、機器制御装置３において、冷暖房機器６によって温熱環境が変動する屋内空間へのユーザ７の入室からの経過時間を計時部４２が計時する。これにより、ユーザ７の入室と入室からの経過時間とを考慮して温冷感を補正するができるので、冷暖房機器６を的確に制御することができる。
【００４６】
なお、本実施形態においても、実施形態１と同様に、機器制御装置３は、機器制御装置３が各種の機能を実行するためのプログラムを保持している。すなわち、本実施形態の機器制御装置３は、機器制御装置３を制御内容記憶部３１、入力部３２、代謝量記憶部３３、算出部３４、補正部３５、機器制御部３６、検出情報取得部４１および計時部４２として機能させるためのプログラムを格納している。
【００４７】
（実施形態３）
実施形態３に係る機器制御システム１は、屋外の気象条件の履歴を考慮して温冷感を補正する点で、実施形態２に係る機器制御システム１と相違する。なお、実施形態２の機器制御システム１と同様の構成要素については、同一の符号を付して説明を省略する。
【００４８】
本実施形態の機器制御装置３は、図７に示すように、気象条件取得部５１と、気象条件記憶部５２とをさらに備えている。なお、実施形態２の機器制御装置３（図５参照）と同様の機能については説明を省略する。
【００４９】
気象条件取得部５１は、現在の屋外の気象条件を取得する。気象条件は、例えば外気温、湿度、風速、天気などである。気象条件を取得する手段としては、屋外に設けられて屋外の現在の気象条件を計測する計測手段（例えば温度センサなど）や、屋外の現在の気象条件の入力を受け付ける気象条件入力手段、屋外の現在の気象条件をカレンダから予測する予測手段などがある。気象条件入力手段としては、図示しない外部装置（例えばサーバ）から気象条件を受け取る手段や、現在の気象条件をユーザ７が入力することによって気象条件を取得する手段などがある。現在の気象条件をユーザ７が入力する際に用いられる入力装置としては、例えばキーボードや複数の操作ボタン、タッチパネルなどがある。
【００５０】
気象条件記憶部５２は、気象条件取得部５１でこれまでに取得された気象条件の履歴（以下「気象条件履歴」という）を記憶する。
【００５１】
本実施形態の補正部３５は、入力部３２に入力された代謝量が変化した場合に、変化前の代謝量履歴と、経過時間と、気象条件記憶部５２で記憶されている気象条件履歴とを用いて、算出部３４で算出されたＰＭＶを補正する。具体的には、気象条件が外気温である場合において、変化後の代謝量が変化前の代謝量よりも小さくなったときに、補正部３５は、外気温が高いほど、算出部３４で算出されたＰＭＶの補正幅が大きくなるように補正する。なお、実施形態２の補正部３５（図５参照）と同様の機能については説明を省略する。
【００５２】
図８に示すように、例えば外気温によって、ユーザ７の実際の温冷感は大きく異なる。図８の例では、外気温が３３℃である場合（図８の（ａ１））のほうが、外気温が２９℃である場合（図８の（ａ２））よりも、入室直後（経過時間ｔ＝０）の温冷感が高い。
【００５３】
例えば、夏期、ユーザ７が暑い屋外を歩行した後、冷房された屋内空間に入室した場合、入室直後は、屋外歩行の影響があるため、ユーザ７の実際の温冷感（図８の（ａ１）（ａ２））は計算値（図８の（ｂ））よりも高くなる。ここで、屋外の気象条件によって、温冷感が高めに出る程度が異なる。具体的には、屋内空間の環境およびユーザ７の代謝量（屋外歩行時・屋内着座時）が同じ条件下でも、外気温の高いほうが、入室直度の温冷感は高くなる。例えば、外気温が３３℃である場合、入室直後の温冷感が＋２であるのに対し、外気温が２９℃である場合の温冷感は＋１である。
【００５４】
次に、本実施形態に係る機器制御装置３の動作について図９を用いて説明する。まず、入力部３２が代謝量計測装置２から代謝量Ｍを取得する（Ｓ２１）。今回の代謝量Ｍを含む代謝量履歴Ｍ（ｔ）を代謝量記憶部３３が記憶する（Ｓ２２）。一方、検出情報取得部４１が在・不在情報を取得し（Ｓ２３）、ユーザ７の入室を検出する（Ｓ２４）。入室後の経過時間ｔを計時部４２がカウントする（Ｓ２５）。さらに、気象条件取得部５１が屋外の気象条件Ｗを取得する（Ｓ２６）。その後、今回の気象条件Ｗを含む気象条件履歴Ｗ（ｔ）を気象条件記憶部５２が記憶する（Ｓ２７）。その後、算出部３４が６要素（気温Ｔ、平均放射温度ＲＴ、風速Ｆ、相対湿度Ｈ、着衣量Ｃ、代謝量Ｍ）からＰＭＶ（＝ｆ（Ｔ，ＲＴ，Ｆ，Ｈ，Ｃ，Ｍ））を算出する（Ｓ２８）。その後、補正部３５が代謝量履歴Ｍ（ｔ）と経過時間ｔと気象条件履歴Ｗ（ｔ）とを用いてＰＭＶを補正して修正ＰＭＶ（＝ｆ（ＰＭＶ，Ｗ（ｔ），Ｍ（ｔ），ｔ））を算出する（Ｓ２９）。
【００５５】
以上説明した本実施形態の機器制御システム１では、気象条件取得部５１で取得された屋外の気象条件を用いて補正部３５が温冷感を補正することによって、より正確な温冷感を予測することができる。
【００５６】
なお、本実施形態においても、実施形態２と同様に、機器制御装置３は、機器制御装置３が各種の機能を実行するためのプログラムを保持している。すなわち、本実施形態の機器制御装置３は、機器制御装置３を制御内容記憶部３１、入力部３２、代謝量記憶部３３、算出部３４、補正部３５、機器制御部３６、検出情報取得部４１、計時部４２、気象条件取得部５１および気象条件記憶部５２として機能させるためのプログラムを格納している。
【００５７】
また、各実施形態において、代謝量計測装置２が機器制御装置３とは別体の端末に設けられていることによって、例えば代謝量計測機能を有する汎用の端末を代謝量計測装置２として用いることができるので、システムの初期費用を低減させることができる。
【符号の説明】
【００５８】
１  機器制御システム
２  代謝量計測装置
３  機器制御装置
３１  制御内容記憶部
３２  入力部
３３  代謝量記憶部
３４  算出部
３５  補正部
３６  機器制御部
３７  演算部
４１  検出情報取得部
４２  計時部
５１  気象条件取得部
５２  気象条件記憶部
６  冷暖房機器
７  ユーザ
【図１】
0005988196.tif 000002
【図２】
0005988196.tif 000003
【図３】
0005988196.tif 000004
【図４】
0005988196.tif 000005
【図５】
0005988196.tif 000006
【図６】
0005988196.tif 000007
【図７】
0005988196.tif 000008
【図８】
0005988196.tif 000009
【図９】
0005988196.tif 000010